(57)【要約】【課題】バグフィルタ型集塵装置用濾布ユニットにおいて、フィルタとリング部材とを分別する作業の効率化を図ること。【解決手段】本発明に係る濾布ユニットは、筒状に成形された柔軟な素材からなるフィルタと；前記フィルタの内部に所定間隔で複数配置され、脱塵時に前記フィルタの形状を筒状に保持するリング部材と；前記フィルタの軸中央付近に挿通され、前記複数のリング部材を前記フィルタ内部に吊り下げるように支持するワイヤとを備える。そして、前記複数のリング部材の各々は、当該リング部材の半径方向に延びて前記ワイヤに連結される連結部材を有する。前記連結部材は、前記リング部材と連結される端部連結部と；前記リング部材の中心部において前記ワイヤと連結される中央連結部とを含むことを特徴とする。【選択図】図２
2008126146.tif 000002
【特許請求の範囲】
【請求項１】
バグフィルタ型内面濾過用集塵装置に用いられる濾布ユニットにおいて、
筒状に成形された柔軟な素材からなるフィルタと；
前記フィルタの内部に所定間隔で複数配置され、脱塵時に前記フィルタの形状を筒状に保持するリング部材と；
前記フィルタの軸中央付近に挿通され、前記複数のリング部材を前記フィルタ内部に吊り下げるように支持するワイヤとを備え、
前記複数のリング部材の各々は、当該リング部材の半径方向に延びて前記ワイヤに連結される連結部材を有し、
前記連結部材は、前記リング部材と連結される端部連結部と；前記リング部材の中心部において前記ワイヤと連結される中央連結部とを含むことを特徴とする濾布ユニット。
【請求項２】
前記リング部材は、星形に成形されることを特徴とする請求項１に記載の濾布ユニット。
【請求項３】
前記リング部材の星形は、６つの凸部と６つの凹部とを有することを特徴とする請求項２に記載の濾布ユニット。
【請求項４】
前記星形のリング部材において、前記６つの凹部の少なくとも対向する２つは、前記連結部材の端部連結部と連結される直線領域を有することを特徴とする請求項３に記載の濾布ユニット。
【請求項５】
前記連結部材は、分割可能な２つの支持部材を中央で連結させた構造であることを特徴とする請求項１，２，３又は４に記載の濾布ユニット。
【請求項６】
前記支持部材の各々は、長尺薄板状に成形され、前記端部連結部に相当する部分の面は前記フィルタの軸方向に対して略垂直となり、前記中央連結部に相当する部分では前記フィルタの軸方向に対して略平行となるように途中で９０度捻れた形状をなすことを特徴とする請求項５に記載の濾布ユニット。
【請求項７】
１つの前記リング部材を構成する一対の前記各支持部材は、前記中央連結部に相当する部分において、横方向から前記ワイヤを挟み込む半円筒状の屈曲部を有することを特徴とする請求項６に記載の濾布ユニット。
【請求項８】
バグフィルタ型内面濾過用集塵装置に用いられる濾布ユニットにおいて、
筒状に成形された柔軟な素材からなるフィルタと；
前記フィルタの内部に所定間隔で複数配置され、脱塵時に前記フィルタの形状を筒状に保持するリング部材と；
前記フィルタの軸中央付近に挿通され、前記複数のリング部材を前記フィルタ内部に吊り下げるように支持するワイヤとを備え、
前記複数のリング部材の各々は、当該リング部材の半径方向に延びて前記ワイヤに連結される連結部材を有し、
前記連結部材は、前記リング部材と連結される端部連結部と；前記リング部材の中心部において前記ワイヤと連結される中央連結部とを含み、
前記連結部材は、分割可能な２つの支持部材を中央で連結させた構造であり、
前記支持部材の各々は、長尺薄板状に成形され、前記端部連結部に相当する部分の面は前記フィルタの軸方向に対して略垂直となり、前記中央連結部に相当する部分では前記フィルタの軸方向に対して略平行となるように途中で９０度捻れた形状をなし、
１つの前記リング部材を構成する一対の前記各支持部材は、前記中央連結部に相当する部分において、横方向から前記ワイヤを挟み込む半円筒状の屈曲部を有することを特徴とする濾布ユニット。
【請求項９】
請求項１に記載の濾布ユニットに使用されるリング部材。
【請求項１０】
請求項８に記載の濾布ユニットに使用されるリング部材。
【請求項１１】
請求項８に記載の濾布ユニットに使用される連結部材。
【発明の詳細な説明】
【技術分野】
【０００１】
本発明はバグフィルタ型内面濾過用集塵装置に係り、特に、バグフィルタ型集塵装置に使用される濾布ユニットの改良に関する。本発明に係る集塵装置は、例えば、製鉄工場、電気炉、高炉等種々の設備に適用可能である。
【背景技術】
【０００２】
バグフィルタ型集塵装置は、有底状のフィルタを用いてガス中のダストを捕集する装置である。フィルタは、通常、円筒状に形成され、集塵装置本体内に吊り下げられた状態で使用される。フィルタの上端開口に接続された吸引用ファンを駆動すると、集塵装置本体内に導入された含塵ガスがフィルタの内部から外部に吸引され、その際にガス中の塵埃がフィルタの内面に捕集される。捕集された塵埃は、フィルタの外部に脱塵用エアを間欠的に噴射し、フィルタを脈動させることによって払い落とされる。
【０００３】
本発明と関連する技術としては、特許文献１に開示されたものがある。
【特許文献１】特開平６−１７０１３５号公報（第２頁、第１図）
【０００４】
ところで、逆洗式バグフィルタは、払い落とし時に集塵ガスを遮断し、フィルタの外面から内面へ強制的にエアを流し、フィルタが内面に絞られ、振動を起こさせる構造である。
【０００５】
従来のバグフィルタ型集塵装置においては、フィルタ（筒状濾布）の内部に配置されるバグリングは円形であり、例えば、フィルタと同じ材質のあて布を用いてフィルタ表面に縫い付けられる。
【発明の開示】
【発明が解決しようとする課題】
【０００６】
しかしながら、あて布を用いてバグリングをフィルタ表面に縫い付けた場合、フィルタ交換の際にリサイクル法等の理由から、縫込みリングをフィルタから完全に取り外す（分別する）必要がある。このような作業は手作業で行われており、作業性が悪い。
【０００７】
また、濾布ユニットの組み立て作業性の向上の要請もある。
【０００８】
本発明は、上記のような状況に鑑みて成されたものであり、フィルタと縫込みリングを分離する濾布ユニットの分解作業の効率向上に寄与するバグフィルタ型集塵装置を提供することを目的とする。
【０００９】
本発明の他の目的は、濾布ユニットの交換コスト（単価）を低減可能なバグフィルタ型集塵装置を提供することにある。
【００１０】
本発明の更に他の目的は、濾布ユニットの組み立て作業性向上に寄与するバグフィルタ型集塵装置を提供することにある。
【課題を解決するための手段】
【００１１】
上記目的を達成するために、本発明に係るバグフィルタ型集塵装置用の濾布ユニットは、請求項１に記載のように、バグフィルタ型内面濾過用集塵装置に用いられる濾布ユニットにおいて、筒状に成形された柔軟な素材からなるフィルタと；前記フィルタの内部に所定間隔で複数配置され、脱塵時に前記フィルタの形状を筒状に保持するリング部材と；前記フィルタの軸中央付近に挿通され、前記複数のリング部材を前記フィルタ内部に吊り下げるように支持するワイヤとを備える。
そして、前記複数のリング部材の各々は、当該リング部材の半径方向に延びて前記ワイヤに連結される連結部材を有する。前記連結部材は、前記リング部材と連結される端部連結部と；前記リング部材の中心部において前記ワイヤと連結される中央連結部とを含むことを特徴とする。
【００１２】
なお、リング部材としては、円形、楕円形、星形、多角形のものを使用することが可能である。また、本出願において、「濾布ユニット」は、ガラス繊維等からなる柔軟な筒状のフィルタと、フィルタ内に概ね等間隔で配置される金属製のリングとを含む概念である。
【００１３】
請求項２に記載の発明においては、前記リング部材は、円形又は星形に成形される。請求項３に記載の発明においては、前記リング部材の星形は、６つの凸部と６つの凹部とを有する構造とする。更に、請求項４に記載の発明においては、前記星形のリング部材において、前記６つの凹部の少なくとも対向する２つは、前記連結部材の端部連結部と連結される直線領域を有する。ここで、星形に関しては、凸部が６つの６角形状の他に、凸部が８つの８角形状等、他の形状を採用することができる。
【００１４】
請求項５に記載の発明においては、前記連結部材は、分割可能な２つの支持部材を中央で連結させた構造とする。また、請求項６に記載のように、前記支持部材の各々は、長尺薄板状に成形され、前記端部連結部に相当する部分の面は前記フィルタの軸方向に対して略垂直となり、前記中央連結部に相当する部分では前記フィルタの軸方向に対して略平行となるように途中で９０度捻れた形状とすることができる。更に、請求項７に記載のように、１つの前記リング部材を構成する一対の前記各支持部材は、前記中央連結部に相当する部分において、横方向から前記ワイヤを挟み込む半円筒状の屈曲部を有する構造とすることができる。
【発明の効果】
【００１５】
上記のような構成の本発明によれば、フィルタの内部にリング部材をワイヤによって吊り下げているため、フィルタへのリングの縫いつけの必要がなくなる。その結果、濾布ユニット交換の際に、リング部材とフィルタとを容易に分別することができる。
【００１６】
また、濾布ユニットの分解作業を集塵装置の使用者が行うことが可能となる。すなわち、フィルタのみを購入することにより、自社でフィルタ交換を行うことが可能となる。更に、リングを縫い付けるためのあて布が不要となり、濾布ユニットしての単価を下げることが可能となる。
【００１７】
請求項２に記載の発明においては、前記リング部材を星形に成形しているため、円形のリングに比べて、脱塵（払い落とし）効果が向上するというメリットがある。
【００１８】
請求項３及び４に記載の発明においては、前記リング部材の星形は、６つの凸部と６つの凹部とを有、少なくとも対向する２つは、前記連結部材の端部連結部と連結される直線領域を有する構造としているため、断面円形の線材の場合に比べて連結部材との接続・連結・固定が容易となる。
【００１９】
請求項５に記載の発明においては、前記連結部材は、分割可能な２つの支持部材を中央で連結させた構造としているため、リング部材（連結部材）とワイヤとの連結が容易となる。
特に、請求項６に記載のように、前記支持部材の各々は、長尺薄板状に成形され、前記端部連結部に相当する部分の面は前記フィルタの軸方向に対して略垂直となり、前記中央連結部に相当する部分では前記フィルタの軸方向に対して略平行となるように途中で９０度捻れた形状とすれば、リング部材と連結部材との連結及び、連結部材とワイヤとの連結が更に容易となる。リング部材と連結部材との連結に関しては、水平に配置されるリング部材に対して連結部材の平坦な面を連結させることができる。また、連結部材とワイヤとの連結に関しては、垂直方向に延びるワイヤに対して連結部材の平坦な面を当接させて連結させることができる。
また、請求項７に記載のように、１つの前記リング部材を構成する一対の前記各支持部材は、前記中央連結部に相当する部分において、横方向から前記ワイヤを挟み込む半円筒状の屈曲部を有する構造とすれば、連結部材とワイヤとの連結が更に容易となる。
【発明を実施するための最良の形態】
【００２０】
以下、本発明を実施するための最良の形態について、実施例を用いて詳細に説明する。図１は、本発明の実施例に係るバグフィルタ型集塵装置の要部の構造を示す説明図であり、集塵時の様子を示す。図２は、本発明の実施例に係るバグフィルタ型集塵装置の要部の構造を示す説明図であり、脱塵時の様子を示す。図において、符号１０が本発明に係る濾布ユニットを示す。その他、符号１２はインレットダクト；符号１４はコラブスダクト；符号１６はアウトレットダクトを示し、動作に関しては周知の通りである。
【００２１】
本実施例に係る濾布ユニット１０は、筒状に成形された柔軟な素材からなるフィルタ１８と；フィルタ１８の内部に所定間隔で複数配置され、フィルタ１８の形状を筒状に保持するリング部材２２と；フィルタ１８の軸中央付近に挿通され、複数のリング部材２２をフィルタ１８内部に吊り下げるように支持するワイヤ２４と；リング部材２２が落下するのを防止するストッパ２６とを備えている。
【００２２】
フィルタ（長尺用濾布）１８は、ガラス繊維や化学繊維から成形することができ、形状としては、例えば、内径約３０ｃｍ、長さ８〜１１ｍとすることができる。ワイヤ２４としては、ＳＵＳ製の線径３ｍｍのもの等を使用することができる。
【００２３】
図３は、本発明の実施例に係るバグフィルタ型集塵装置に使用されるリング部材２２の構造を示す平面図であり、本発明の特徴が示されている。本実施例に使用される複数のリング部材２２は全て同じ構造である。リング部材２２は、線径３ｍｍ〜４ｍｍ程度の鋼鉄製の線材によって星形に成形されたリング本体３０と、リング本体３０の径方向に延びて、中央でワイヤ２４に連結される連結部材３１とを備えている。
【００２４】
リング本体３０の星形は、例えば、６つの凸部（山）と６つの凹部（谷）とを有する。全ての凸部は丸みを以て成形され、鋭角な角部による濾布へのダメージを低減している。なお、凹部に形成された直線領域Ｘは、必ずしも全ての凹部に形成しなくとも、少なくとも連結部材３１と連結される一対の対向する箇所（対角）に形成されているだけでもよい。
【００２５】
図４は、本発明に使用されるリング部材の他の構造例を示す平面図である。図４に示すリング部材１２２は、リング本体３０が円形をしている他は、図３に示す星形のリング部材２２と実質的に同様の構造である。なお、リング本体１３０において、連結部材３１と連結される一対の対向する箇所（対角）は、直線的（湾曲しない形状）に成形することが好ましい。
【００２６】
図５は、図３に示すリング本体３０及びワイヤ２４に連結される連結部材３１の構造を示す側面図である。また、図６は連結部材３１を構成する部品を示す図であり、（Ａ）及び（Ｄ）が平面図、（Ｂ）及び（Ｃ）が側面図である。図５において、連結部材３１を構成する一対の長尺薄板状支持部材（第１支持部材及び第２支持部材３２，３４）の一方のみを示すが、両者は同一の構造であるため、第１支持部材３２を例に採って説明する。
【００２７】
図５に示すように、第１支持部材３２は、リング本体３０と連結される端部連結部（図の左端）と、リング本体３０の中心部においてワイヤ２４と連結される中央連結部（４２）とを含む。端部連結部に相当する部分の面はフィルタ１８の軸方向に対して略垂直となり、中央連結部に相当する部分ではフィルタ１８の軸方向に対して略平行となるように途中（破線の円）で９０度捻れた形状をなしている。また、第１支持部材３２及び第２支持部材３４は、中央連結部に相当する部分において、横方向からワイヤ２４を挟み込む半円筒状の屈曲部（湾曲部）４２を有している。
【００２８】
屈曲部４２の左右には、第１及び第２の支持部材３２，３４同士を連結するためのボルトが挿通するボルト穴４４が２カ所ずつ形成されている。一方、端部連結部側には、後述する固定具４０に連結するためのボルト穴４８が形成されている。
【００２９】
固定具４０は、図６（Ｃ），（Ｄ）に示すようにクリップ状に成形され、リング本体３０が挿通するＣ字型のリング保持部５２と；リング保持部５２の２つの端部から直線的に互いに平行に延び、第１支持部材３２の端部連結部を挟み付けるプレート保持部５０とを備えている。プレート保持部５０には、第１支持部材３２に形成されたボルト穴４８に対応する位置にボルト穴５４が形成されている。
【００３０】
上記のような構成のバグフィルタ型集塵装置用の濾布ユニットの組み立てに際しては、まず、フィルタ１８を軸方向下側に蛇腹状に圧縮させた状態で、ワイヤ２４をリング本体３０及びフィルタ１８中に通す。次に、連結部材３１を構成する一対の第１及び第２支持部材３２，３４を図３に示すように合わせて、屈曲部４２でワイヤ２４を挟み込み、ボルト穴４４にボルトを通して、支持部材３２，３４を固定する。これと同時に、固定具４０を用いて第１及び第２支持部材３２，３４の端部をリング本体３０に対して固定する。この時、第１及び第２支持部材３２，３４の端部が固定具４０のプレート保持部５０のすき間に差し込まれ、ボルト・ナットによって固定する。
【００３１】
同様の手順によってリング部材２２を所定の数（例えば、５，６コ）だけ組み付けた後、圧縮状態であったフィルタ１８の上端を持ち上げて展開し、その上端を固定することによって濾布ユニットが完成する。
【００３２】
図７は、本発明の他の実施例に係るバグフィルタ型集塵装置に使用される連結部材の構造を示す平面図（Ａ）及び側面図（Ｂ）である。本実施例に係る連結部材用支持部材６０は、上述した実施例の第１及び第２支持部材に相当するものであり、リング本体３０への連結構造のみが異なる。本実施例においては、支持部材６０の端部が鍵状に湾曲した湾曲部６２が形成され、当該湾曲部６２の内側にリング本体３０が収まるようになっている。なお、リング本体３０と湾曲部６２との連結は溶接によって行うことができる。上述した実施例に比べて、部品点数を減少させることができるが、溶接という作業が入るため、作業性の点においては上述実施例の方が優れていると言える。
【００３３】
なお、図７に示す例における他の構造、作用については、図１〜図６に示した実施例と同様であるため、重複した説明は省略する。
【００３４】
以上、本発明について実施例を用いて説明したが、本発明は実施例の範囲に限定されるものではなく、各請求項に記載された技術的思想の範囲内において、適宜設計変更可能であることは言うまでもない。
【図面の簡単な説明】
【００３５】
【図１】図１は、本発明の実施例に係るバグフィルタ型集塵装置の要部の構造を示す説明図であり、集塵時の様子を示す。
【図２】図２は、本発明の実施例に係るバグフィルタ型集塵装置の要部の構造を示す説明図であり、脱塵時の様子を示す。
【図３】図３は、本発明の実施例に係るバグフィルタ型集塵装置に使用されるリング部材の構造を示す平面図である。
【図４】図４は、本発明の実施例に係るバグフィルタ型集塵装置に使用されるリング部材の構造を示す平面図である。
【図５】図３は、図３に示すリング部材に連結される連結部材の構造を示す側面図である。
【図６】図６は、図５に示す連結部材を構成する部品を示す図であり、（Ａ）及び（Ｄ）が平面図、（Ｂ）及び（Ｃ）が側面図である。
【図７】図７は、本発明の他の実施例に係るバグフィルタ型集塵装置に使用される連結部材の構造を示す平面図（Ａ）及び側面図（Ｂ）である。
【符号の説明】
【００３６】
１０    濾布ユニット
１８    フィルタ（濾布）
２２    リング部材
２４    ワイヤ
３０    リング本体
３１    連結部材
３２    第１支持部材
３４    第２支持部材
４２    半円筒型屈曲部
【図１】
2008126146.tif 000003
【図２】
2008126146.tif 000004
【図３】
2008126146.tif 000005
【図４】
2008126146.tif 000006
【図５】
2008126146.tif 000007
【図６】
2008126146.tif 000008
【図７】
2008126146.tif 000009